【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
マルチビューレンダリング装置において用いるためのビデオデータ信号の符号化方法であって、
第１の視点と関連付けられたシーンの第１のイメージを供給するステップと、
前記第１のイメージと関連付けられたデプスマップを供給するステップと、
デプスマップ処理、又は、前記マルチビューレンダリング装置による他の視点のための１又は複数のビューのレンダリングにおいて用いられる、メタデータを供給するステップと、
サブイメージにおいて分配されるビデオフレームを有する前記ビデオデータ信号を生成するステップと、
を有し、
前記サブイメージは、
前記第１のイメージに基づく第１のサブイメージと、
前記デプスマップに基づく第１のデプスサブイメージと、
前記第１のデプスサブイメージの色成分において符号化される前記メタデータと、
を有し、
前記メタデータは、前記メタデータにおいて変更があったか否かに関わらず、後続のビデオフレームに繰り返し挿入され、前記メタデータは、幾つかのフレームに対して正確な、又は、固定されたメタデータフレームの使用を可能にするために、前記メタデータが前のフレームから変更されたかどうかを示す変更情報を有する、方法。
【請求項２】
前記ビデオデータ信号は、輝度値及び色度値で構成され、前記デプスマップは、前記第１のデプスサブイメージの輝度値で符号化され、前記メタデータは、前記第１のデプスサブイメージの色度値で符号化される、あるいは、前記ビデオデータ信号は、Ｒ，Ｇ，Ｂ成分で構成され、前記デプスマップは、前記第１のデプスサブイメージの前記Ｒ，Ｇ，Ｂ成分のうちの第１の成分で符号化され、前記メタデータは、前記第１のデプスサブイメージの前記Ｒ，Ｇ，Ｂ成分のうちの他の成分で符号化される、請求項１記載の符号化方法。
【請求項３】
前記ビデオデータ信号に含まれる前記ビデオフレームは、各サブイメージに配置されたデータの未圧縮の二次元アレイを有する、請求項１又は２に記載の符号化方法。
【請求項４】
前記ビデオデータ信号を、１又は複数のビットシリアルデータラインを用いるインタフェースを介して、前記マルチビューレンダリング装置に送信するステップを更に有する、請求項１乃至３のいずれか１項に記載の符号化方法。
【請求項５】
前記メタデータは、全てのフィールドのための、全てのフレームのための、全ての画像のグループのための、及び／又は、全てのシーンのための、前記ビデオデータ信号に挿入される、請求項１乃至４のいずれか１項に記載の符号化方法。
【請求項６】
前記メタデータは、チェックサムを備える、請求項１乃至５のいずれか１項に記載の符号化方法。
【請求項７】
第２の視点と関連付けられたシーンの第２のイメージを供給するステップと、
前記第２のイメージと関連付けられた第２のデプスマップを供給するステップと、
前記ビデオデータ信号を生成するステップと、
を有し、
前記ビデオデータ信号は、
前記第２のイメージに基づく第２のサブイメージと、
前記第２のデプスマップに基づく第２のデプスサブイメージと、
を含む、請求項１乃至６のいずれか１項に記載の符号化方法。
【請求項８】
マルチビューレンダリング装置において用いられるビデオデータ信号であって、
第１の視点と関連付けられたシーンの第１のイメージと、
前記第１のイメージと関連付けられたデプスマップと、
デプスマップ処理、又は、前記マルチビューレンダリング装置による他の視点のための１又は複数のビューのレンダリングにおいて用いられる、メタデータと、
を有し、
前記ビデオデータ信号は、サブイメージにおいて分配されるビデオフレームを有し、
前記サブイメージは、
前記第１のイメージに基づく第１のサブイメージと、
前記デプスマップに基づく第１のデプスサブイメージと、
前記第１のデプスサブイメージの色成分において符号化される前記メタデータと、
を有し、
前記メタデータは、前記メタデータにおいて変更があったか否かに関わらず、後続のビデオフレームに繰り返し挿入され、前記メタデータは、幾つかのフレームに対して正確な、又は、固定されたメタデータフレームの使用を可能にするために、前記メタデータが前のフレームから変更されたかどうかを示す変更情報を有する、ビデオデータ信号。
【請求項９】
非一時的な形式で、請求項８に記載のビデオデータ信号を有する、データ媒体。
【請求項１０】
ビデオデータ信号の復号化方法であって、
第１の視点と関連付けられたシーンの第１のイメージと、前記第１のイメージと関連付けられたデプスマップと、デプスマップ処理、又は、前記マルチビューレンダリングにおいて用いられるメタデータと、を有する前記ビデオデータ信号を受信するステップであって、前記ビデオデータ信号は、サブイメージにおいて分配されるビデオフレームを有し、前記サブイメージは、前記第１のイメージに基づく第１のサブイメージと、前記デプスマップに基づく第１のデプスサブイメージと、前記第１のデプスサブイメージにおいて符号化される前記メタデータと、を有するステップと、
個別の成分へのアクセスを得るとともに、前記第１のデプスサブイメージの色成分から前記メタデータを抽出するために、前記ビデオデータ信号を分離するステップであって、前記メタデータは、前記メタデータにおいて変更があったか否かに関わらず、後続のビデオフレームに繰り返し挿入され、前記メタデータは、前記メタデータが前のフレームから変更されたかどうかを示す変更情報を有する前記分離するステップと、
前記メタデータに基づいて前記デプスマップをデプスマップ処理するステップと、前記メタデータに基づいて他の視点のための１又は複数のビューをレンダリングするステップと、の少なくとも１つを実行するステップと、
を有し、
前記方法は、幾つかのフレームに対して正確な、又は、固定されたフレームの前記変更情報に依存して前記メタデータを処理するかどうかを決定するために、前記メタデータ処理を扱うとともに前記変更情報を用いるための制御プロセスを有する、復号化方法。
【請求項１１】
ビデオデータ信号を復号化するためのデコーダであって、
第１の視点と関連付けられたシーンの第１のイメージと、前記第１のイメージと関連付けられたデプスマップと、デプスマップ処理、又は、前記マルチビューレンダリングにおいて用いられるメタデータと、を有する前記ビデオデータ信号を受信する受信器であって、前記ビデオデータ信号は、サブイメージにおいて分配されるビデオフレームを有し、前記サブイメージは、前記第１のイメージに基づく第１のサブイメージと、前記デプスマップに基づく第１のデプスサブイメージと、前記第１のデプスサブイメージにおいて符号化される前記メタデータと、を有する前記受信器と、
個別の成分へのアクセスを得るとともに、前記第１のデプスサブイメージの色成分から前記メタデータを抽出するために、前記ビデオデータ信号を分離するデマルチプレクサであって、前記メタデータは、前記メタデータにおいて変更があったか否かに関わらず、後続のビデオフレームに繰り返し挿入され、前記メタデータは、前記メタデータが前のフレームから変更されたかどうかを示す変更情報を有する前記デマルチプレクサと、
前記メタデータに基づいて前記デプスマップをデプスマップ処理するデプスマッププロセッサと、前記メタデータに基づいて他の視点のための１又は複数のビューをレンダリングするレンダリングユニットと、の少なくとも１つと、
を有し、
前記デコーダは、幾つかのフレームに対して正確な、又は、固定されたフレームの前記変更情報に依存して前記メタデータを処理するかどうかを決定するために、前記メタデータ処理を扱うとともに前記変更情報を用いるための制御プロセッサを有する、デコーダ。
【請求項１２】
レンダリングされた１又は複数のビューを表示するマルチビューステレオスコピックディスプレイユニットを更に有する、請求項１１記載のデコーダ。
【請求項１３】
任意のビデオデータ信号のいずれかを復号する、請求項１１に記載のデコーダ。
【請求項１４】
プロセッサシステムに、請求項１に記載の方法を実行させるための命令を有する、コンピュータプログラム製品。
【請求項１５】
マルチビューレンダリング装置において用いられるビデオデータ信号のエンコーダであって、
第１の視点と関連付けられたシーンの第１のイメージを取得するための取得ユニットと、
前記第１のイメージと関連付けられたデプスマップを取得するための取得ユニットと、
デプスマップ処理、又は、前記マルチビューレンダリング装置による他の視点のための１又は複数のビューのレンダリングにおいて用いられる、メタデータを取得するための取得ユニットと、
サブイメージにおいて分配されるビデオフレームを有する前記ビデオデータ信号を生成するためのジェネレータと、
を有し、
前記サブイメージは、
前記第１のイメージに基づく第１のサブイメージと、
前記デプスマップに基づく第１のデプスサブイメージと、
前記第１のデプスサブイメージの色成分において符号化される前記メタデータと、
を有し、
前記メタデータは、前記メタデータにおいて変更があったか否かに関わらず、後続のビデオフレームに繰り返し挿入され、前記メタデータは、幾つかのフレームに対して正確な、又は、固定されたメタデータフレームの使用を可能にするために、前記メタデータが前のフレームから変更されたかどうかを示す変更情報を有する、エンコーダ。